(57)【要約】  小型化を実現しながらも、ランプ交換が容易な照明装置を提供する。  照明装置１は、外管１３とこの外管１３内に設けられた発光管１５とを有するランプ６と、凹状の反射面９を有し、かつ内部にランプ６が配置され、ランプ６から発せられた光を反射面９によって反射させて前方の開口部１０から射出するミラー部１１を含む開放型の照明器具３とを備えている。ここで、外管１３の最大外径をｒ［ｍｍ］、ミラー部１１の開口径をＲ［ｍｍ］とした場合、２２≦ｒ≦２８、Ｒ≦１３０、および３．５≦Ｒ／ｒなる関係式をそれぞれ満たす。
2009130914.tif 000002
【特許請求の範囲】
【請求項１】
外管とこの外管内に設けられた発光管とを有する高圧放電ランプと、
凹状の反射面を有し、かつ内部に前記高圧放電ランプが配置され、前記高圧放電ランプから発せられた光を前記反射面によって反射させて前方の開口部から射出するミラー部を含む開放型の照明器具とを備え、
前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする照明装置。
【請求項２】
前記外管は、筒状部と、この筒状部の一端に連設されて、当該筒状部の一端を封塞する曲面部とを有している
ことを特徴とする請求項１に記載の照明装置。
【請求項３】
前記曲面部が、半球面状である
ことを特徴とする請求項２に記載の照明装置。
【請求項４】
前記ミラー部の開口部端面を含む平面を基準面とし、前記基準面から前記外管の先端までの距離をＬ［ｍｍ］とした場合、
０≦Ｌ≦１５である
ことを特徴とする請求項１に記載の照明装置。
【発明の詳細な説明】
【技術分野】
【０００１】
本発明は照明装置に関するものである。
【背景技術】
【０００２】
近時、商業施設等のダウンライトやスポットライトとして使用される照明装置の光源としてメタルハライドランプ等の高圧放電ランプが普及しつつある。そして、特に店舗空間においては、「光」のみを必要とし、照明装置自体を目立たせないようするニーズ、すなわち小型化の強い要請がある。【０００３】
また、ランプ交換のしやすさといったメンテナンスの容易性も要求されている。従来の照明装置において発光管と外管とからなる二重管構造を採用した小型のメタルハライドランプを用いたものでは、万一、発光管が破損してそれを覆う外管も破損した際、それらの破片が飛散するのを防止するために、光を射出する前面の開口部（光取り出し口）に前面ガラスが取り付けられている。しかし、その場合、ランプ交換の際には前面ガラスの脱着の手間がかかるという問題があった。一方、発光管と外管との間に防爆用スリーブが設けられたものも知られている。この場合は、前面ガラスが不要となるものの、その分、ランプ自体が二重管構造を採用したメタルハライドランプに比して大型化し、上記した小型化の強い要請に応えられないという問題があった。【０００４】
また、発光管、内管、および外管の三重管構造を採用した小型のメタルハライドランプが提案されている（例えば特許文献１，２等）。このメタルハライドランプを照明装置に用いた場合、三重管構造であるために前面ガラスが不要となり、メンテナンス性が優れている。しかもランプ自体が小型であるため、照明装置も小型化することができるというメリットがある。【０００５】
このような三重管構造のメタルハライドランプとしては、外径が２０［ｍｍ］程度の外管を備えた、定格ランプ電力が３５［Ｗ］や７０［Ｗ］のメタルハライドランプが製品化されている。
【先行技術文献】
【特許文献】
【０００６】
【特許文献１】国際公開第２００６／００１１６６号パンフレット
【特許文献２】特開２００７−１７９９５９号公報
【発明の概要】
【発明が解決しようとする課題】
【０００７】
従来の三重管構造のメタルハライドランプを用いた小型の照明装置では、開口部から手を挿入させてランプを掴むことができ、ランプ交換が問題なく行えている。ところが、ランプの高ワット化を進めるに当たり、外管の外径が大きなランプ（具体的には外管径２０［ｍｍ］を２２〜２８［ｍｍ］にしたランプ）を作製し、従来の照明装置で試したところ、ランプ交換がしにくくなるという問題が生じた。【０００８】
これは、照明装置の開口部とランプとの間の隙間が狭まり、その隙間に手が入りにくくなって、ランプを取り外したり、取り付けたりする際にランプを回転させにくくなるためである。【０００９】
このような問題を解決するための1つの方法として、照明装置の開口径を大きくすることが考えられるが、照明装置の小型化を維持するためには、照明装置のミラー部の開口径を可能な限り小さくするとともに、その奥行きも可能な限り小さくすることが好ましい。【００１０】
本発明は、このような問題を解決するためになされたものであり、小型化を実現しながらも、ランプ交換が容易な照明装置を提供することを目的とする。
【課題を解決するための手段】
【００１１】
本発明の請求項１記載の照明装置は、外管とこの外管内に設けられた発光管とを有する高圧放電ランプと、凹状の反射面を有し、かつ内部に前記高圧放電ランプが配置され、前記高圧放電ランプから発せられた光を前記反射面によって反射させて前方の開口部から射出するミラー部を含む開放型の照明器具とを備え、前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする。【００１２】
ここで、「開放型」の照明器具とは、光が射出される開口部（光取り出し口）に前面ガラス等が無く、閉塞されていない照明器具を示す。【００１３】
また、ミラー部の「開口径」とは、ミラー部の開口部側の端面の最大外径を示すのではなく、まさに開口した部分である開口部の内径を示す。
【発明の効果】
【００１４】
上記構成の照明装置は、ミラー部の開口径Ｒと外管の最大外径ｒとの比率（Ｒ／ｒ）を、３．５以上とすることにより、ミラー部と外管との隙間に指が挿入し難くなるのを防止し、ランプ交換がし難くなるのを防止することができる。なお、具体的な根拠については後述する。【００１５】
本発明は、小型化を実現しながらも、ランプ交換が容易な照明装置を得ることができる。
【図面の簡単な説明】
【００１６】
【図１】本発明の第１の実施形態である照明装置を模式的に示した一部切欠正面図
【図２】同じく照明装置に用いられているメタルハライドランプの一部切欠正面図
【図３】ランプの掴む位置を説明するための模式図
【図４】照明器具と、ランプと、照明器具の内側に挿入させた手（指）との関係を説明するための模式図
【図５】関係式１を求めた実験の結果を示す図
【図６】外管の外径と照明器具の開口径との関係を説明するための図
【図７】本発明の第２の実施形態である照明装置を模式的に示した一部切欠正面図
【図８】変形例に係るメタルハライドランプの一部切欠正面図
【発明を実施するための最良の形態】
【００１７】
以下、本発明の最良な実施の形態を、図面を参照して説明する。
［第１の実施形態］
＜照明装置の構成＞
図１に示すように、本発明の第１の実施形態である照明装置１は、例えばダウンライトに使用されるものであり、天井２に組み込まれた照明器具３とこの照明器具３の底部に取り付けられた板状のベース部４とを有する本体ユニット５と、この本体ユニット５内に取り付けられた例えば定格電力１００［Ｗ］のメタルハライドランプ６（以下、単に「ランプ６」という」と、ランプ６を点灯させるために、ベース部４において照明器具３から離間した位置に取り付けられた公知の電子安定器７を有する給電ユニット８とを備えている。【００１８】
なお、ランプの仕様等に応じて電子安定器７に代えて銅鉄安定器を用いる場合がある。
（照明器具）
照明器具３は、凹状の反射面９を有し、内部に配置されたランプ６から発せられた光を反射面９によって反射させて前方の開口部１０（光取り出し口）から射出するミラー部１１と、このミラー部１１内に設けられたソケット部１２とを有している。この照明器具３は、特に前方の開口部１０に前面ガラスのない開放型であることが特徴である。反射面９には、金属膜等が蒸着されている。【００１９】
ここで、ミラー部１１の開口径をＲ［ｍｍ］とした場合、小型のものに限定して、Ｒ≦１３０なる関係式を満たす。ここで言う「開口径」とは、ミラー部１１の開口部１０側の端面の最大外径を示すのではなく、まさに開口した部分である開口部１０の最大内径を示す。【００２０】
なお、照明器具３の形状等については、その用途や使用条件等によって適宜設定されるものである。
（ランプ）
ランプ６は、図２に示すように、外管１３と、この外管１３内に収納されている内管１４と、この内管１４の内部の気密空間に配置されている発光管１５と、外管１３の端部に取り付けられている例えばＥ形の口金１６とを備えている。【００２１】
なお、口金１６としては、図２に示すＥ形に限らず、公知の種々の形状、例えばピン状のスワン式や、Ｇ形等のものも用いることができる。特に口金がスワン式の場合、Ｅ形の口金と異なり、ランプが不測の脱落をしないようにランプをソケット部１２に対して一定以上の回転トルクをかけないと外れないようにすることが好ましい。具体的にはその回転トルクは０．３［Ｎ・ｍ］以上であることが好ましい。【００２２】
外管１３の長手方向の中心軸Ｘと、内管１４の長手方向の中心軸Ｙと、発光管１５の長手方向の中心軸Ｚとは略同一軸上に位置している。ただし、この「略同一軸上」とは、中心軸Ｘ、中心軸Ｙおよび中心軸Ｚが完全に同一軸上に位置している場合以外に、例えば各部材１３，１４，１５を相互に組み立てる際に発生するばらつき等によって中心軸Ｘ、中心軸Ｙおよび中心軸Ｚがそれぞれずれてしまう場合等も含むことを意味している。【００２３】
外管１３は、例えば硬質ガラス等からなり、一端部に例えば略半球状のように外面形状が曲面形状を有する閉塞部１７が形成され、かつ他端部に開口部１８を有しているとともに、一端部を除く部分が略円筒状である。この外管１３の内部（内管１４の内部および発光管１５の内部を除く）は大気雰囲気である。この閉塞部１７の曲面形状は、連続的であってもよいし、不連続的であってもよい。【００２４】
ここで、外管１３の最大外径、具体的に図２に示す外管１３の場合ではその略円筒状の部分の外径をｒ［ｍｍ］とした場合、小型のものに限定して、２２≦ｒ≦２８なる関係式を満たす。【００２５】
なお、外管としては、その外形形状が上記したような一端部を除く部分が略円筒状の直管状に限らず、中央部のみが膨出した形状の外管や、中央部が最も膨出し、かつ端部に近づくに従って連続的に径小となる形状の外管等、公知の種々の形状のものであってもよい。このように外管が種々の形状をとった場合でも、「ｒ」はその形状における最大外径を示す。【００２６】
内管１４は、例えば石英ガラス等からなり、一端部が略平面状になっており、その中央部に排気管の残部であるチップオフ部１９を有し、かつ他端部に公知のピンチシール法によって圧潰封止された封止部２０を有しているとともに、両端部を除く部分が略円筒状である。内管１４の内部は、例えば真空雰囲気の気密空間である。【００２７】
なお、内管の外形形状としても、上記したような両端部を除く部分が略円筒状の直管状に限らず、中央部のみが膨出した形状や、中央部が最も膨出し、かつ端部に近づくに従って連続的に径小となる形状等、公知の種々の形状であってもよい。【００２８】
発光管１５は、その外囲器が例えば多結晶アルミナの透光性セラミックからなり、本管部２１とこの本管部２１の両端部に形成された細管部２２とを有している。【００２９】
図２に示す例では、本管部２１と細管部２２とがそれぞれ別個に成形された後、焼きばめによって一体化されたものを用いている。しかし、その形状や構造において図２に示すものに限らず、例えば本管部と細管部とを一体成形によって形成されたものを用いてもよく、公知の種々の形状や構造の発光管を用いることができる。【００３０】
本管部２１内には、一対の電極（図示せず）が配置されており、かつ金属ハロゲン化物、希ガスおよび水銀がそれぞれ所定量封入されている。金属ハロゲン化物としては、ヨウ化ナトリウムやヨウ化ジスプロシウム等が用いられている。【００３１】
細管部２２内には、先端部に電極が取り付けられた給電体２３が挿入され、本管部２１とは反対側の端部においてフリットからなるシール材（図示せず）によって封着されている。給電体２３の端部のうち、電極とは反対側の端部は、細管部２２の端部から外部に導出しており、電力供給線２４に電気的に接続されている。電力供給線２４は封止部２０に封止された金属箔２５を介して外部リード線（図示せず）に電気的に接続されている。そして、一方の外部リード線は口金１６のシェル部２６に、他方の外部リード線は口金１６のアイレット部２７にそれぞれ電気的に接続されている。【００３２】
なお、電力供給線２３は一本の金属線からなるとは限らず、複数の金属線を接続して一体化したものからなる場合もある。
（照明器具とランプとの関係）
次に、照明器具３と、ランプ６との関係について説明する。【００３３】
ランプ６が照明器具３内に取り付けられた状態（図１に示す状態）において、外管１３の最大外径をｒ［ｍｍ］、照明器具３のミラー部１１の開口径をＲ［ｍｍ］とした場合、最大外径ｒと開口径Ｒとの比率（Ｒ／ｒ）が次の関係式を満たす。【００３４】
３．５≦Ｒ／ｒ                        ・・・（関係式１）
比率（Ｒ／ｒ）が小さいと、照明器具３とランプ６との間の隙間に手の指が入り難くなって、ランプ６をしっかりと掴むことができないために一定のトルクをかけてランプ６を回すことができなくなる。そのため、ランプ交換がしにくい照明装置となる。発明者らは、後述する実験により、関係式１を満たせば、照明器具３とランプ６との間の隙間に手の指を入れ易く、かつ一定のトルクをかけてランプを回すことができて、ランプ交換が容易になることを見出した。【００３５】
また、関係式１に加え、図１に示すように、ミラー部１１の開口部１０の端面を含む平面を基準面Ｐ、基準面Ｐからランプ６の先端までの距離をＬ［ｍｍ］とした場合、距離Ｌが０≦Ｌ≦１５の範囲内であれば、よりランプの交換が容易になることが分かった。【００３６】
なお、ランプ６の先端が基準面Ｐからミラー部１１の外側に位置し（Ｌ＜０）、かつ外管１３における閉塞部１７を除いた筒状部分全体が基準面Ｐよりミラー部１１の内側にある場合にも、ランプの交換が容易になることが分かった。
（ランプ交換について）
上記構成の照明装置１において、例えば寿命によって不点灯になったランプ６を取り替えるべく照明器具３から取り外す際には、当該照明器具３が開口部１０に前面ガラスのない開放型であるために、通常、人がそのまま開口部１０から照明器具３内に手を入れ、メタルハライドランプ６の外管１３の先端部側を摘まむようにして持ち、回転させて取り外す。また、新品のランプ６を取り付けるときも、外管１３の先端部側を摘まむようにして持った状態で、当該ランプ６を照明器具３内に入れ、口金１６をソケット部１２にねじ込みながら取り付ける。【００３７】
ところが、開口部１０の内側に挿入させた指で、ランプ６（外管１３）をしっかりと掴む（摘む）ことができないと、ランプを回転させるのが難しくなるため、ランプの交換がし難くなる。【００３８】
図３は、ランプ（外管）を掴む位置を説明するための模式図である。図３（ａ）に示すように、外管１３における円筒状の部分Ｓの位置では、親指と他の指で強く挟みこむことができるので、しっかりと掴むことができる。【００３９】
一方、図３（ｂ）に示すように、半球面状の閉塞部１７では、親指と他の指で強く挟めば挟む程、各指が閉塞部１７の曲面に沿って滑るために、しっかりと掴むことができない。したがって、一定のトルクをかけてランプを回すには、外管１３の円筒状部分Ｓを掴むことが必要である。【００４０】
図４は、照明器具３と、ランプ６（外管１３）と、照明器具３の内側に挿入させた手（指）との関係を説明するための模式図である。【００４１】
図４には、照明器具３の内側に挿入させた手（指）で外管１３の円筒状部分Ｓを掴んだ状態が示されている。また、基準面Ｐを通過する手の最大幅がＷで示されている。【００４２】
図４において、円筒状部分Ｓの先端は、基準面ＰからＬ＋ｒ／２の位置にある。例えば、距離Ｌを変えずに外管１３の最大外径ｒを大きくした場合、この円筒状部分Ｓの先端が、照明器具３の奥側（矢印Ａ方向）に移動する。そのため、円筒状部分Ｓを掴むためには、手（指）を照明器具３の奥側により挿入させることになって、基準面Ｐを通過する手の最大幅Ｗが大きくなる。【００４３】
したがって、外管１３の最大外径ｒを大きくする程、照明器具３の開口径Ｒを大きくする必要がある。
＜関係式１を求めた実験＞
次に、関係式１を求めた実験について説明する。【００４４】
本実験では、外管１３の最大外径ｒと、照明器具３の開口径Ｒとの比率（Ｒ／ｒ）が異なる複数の組み合わせを作成し、それぞれの外管１３を回したときの回転トルクの大きさを測定した。具体的には、最大外径ｒが２０［ｍｍ］、２２［ｍｍ］、２５［ｍｍ］、２８［ｍｍ］および３０［ｍｍ］の５種類の外管１３を作製し、最大外径ｒが２０［ｍｍ］および３０［ｍｍ］の各外管１３には４〜５の比較例を、最大外径ｒが２２［ｍｍ］、２５［ｍｍ］および２８［ｍｍ］の各外管１３には、３つの実施例および１つの比較例を用意した。なお、各実施例および比較例では、基準面Ｐ（図１参照）から外管１３の先端までの距離Ｌを１５［ｍｍ］に設定している。【００４５】
図５は、関係式１を求めた実験の結果を示す図である。【００４６】
図５には、実施例および比較例における、最大外径ｒ、開口径Ｒ、比率（Ｒ／ｒ）、回転トルク［Ｎ・ｍ］および判定結果が示されている。【００４７】
本実験において、回転トルクが０．３［Ｎ・ｍ］以上の場合は、良好「○」と判定し、回転トルクが０．３［Ｎ・ｍ］未満の場合は、不良「×」と判定した。【００４８】
回転トルク０．３［Ｎ・ｍ］を境にして、ランプ交換が容易または困難と判定したのは次の理由による。ランプの口金がＥ形の場合、ソケットに着脱するには、回転トルクが０．１〜０．２［Ｎ・ｍ］程度でよく、また、スワン式の場合でも、回転トルクが０．３［Ｎ・ｍ］もあれば十分なため、回転トルクが０．３［Ｎ・ｍ］以上であれば、確実にランプをソケットに着脱できるからである。【００４９】
実験結果を見ると、図５に示すように、例えば、比較例１〜５は、最大外径ｒ＝２０［ｍｍ］である。このうち比較例１は、Ｒ＝６８［ｍｍ］、Ｒ／ｒ＝３．４、回転トルク＝０．３０［Ｎ・ｍ］であり、判定が「○」である。比較例２〜５も、比較例１と同様、判定「○」である。【００５０】
また、最大外径ｒ＝２２，２５，２８，３０［ｍｍ］についても同様に、比較例ならびに実施例の判定結果が示されている。【００５１】
図５に示すように、最大外径ｒが２０［ｍｍ］および３０［ｍｍ］では、最大外径ｒと開口径Ｒとの比率（Ｒ／ｒ）に関わらず、判定が「○」である。一方、最大外径ｒが２２〜２８［ｍｍ］では、比率（Ｒ／ｒ）が３．５以上の場合に判定「○」であって、比率（Ｒ／ｒ）が３．５未満では判定「×」である。したがって、最大外径ｒが２２〜２８［ｍｍ］の外管１３を用いた照明器具３において、０．３［Ｎ・ｍ］以上の回転トルクをかけるためには比率（Ｒ／ｒ）の大きさに下限があることが分かった。【００５２】
この下限について、次に説明する。【００５３】
図６は、縦軸を開口径Ｒ、横軸を最大外径ｒとし、図５に示す最大外径ｒが２２〜２８［ｍｍ］における実施例および比較例をプロットした図であり、判定「○」の各実施例が○印で、判定「×」の各比較例が×印で示されている。【００５４】
また、図６において、最大外径ｒ毎の判定「○」と、判定「×」との間を通過する線７０（Ｒ／ｒ＝３．５）が引かれている。【００５５】
この線７０が、最大外径ｒに対する開口径Ｒの下限を示している。したがって、０．３［Ｎ・ｍ］以上の回転トルクをかけるためには、最大外径ｒと開口径Ｒとの比率（Ｒ／ｒ）が３．５以上必要であるといえる。【００５６】
なお、図６には、判定「○」の各実施例を含む領域が７１で示されている。【００５７】
最大外径ｒが２０［ｍｍ］および３０［ｍｍ］の外管１３において、比率（Ｒ／ｒ）が３．５未満であっても、０．３［Ｎ・ｍ］以上の回転トルクを与えることができるのは、次の理由によるものと考えられる。【００５８】
最大外径ｒが２０［ｍｍ］の外管では、その先端の半球状をしている閉塞部が小さいため、指で外管の筒状部分を掴みやすいことから、ランプ交換時において０．３［Ｎ・ｍ］以上の回転トルクがかけやすくなるためである。【００５９】
一方、最大外径ｒが３０［ｍｍ］の外管では、外管と器具開口部との隙間が大きくなるので、手を照明装置の内側に挿入し易く、外嵌の筒状部分を掴みやすいことから、ランプ交換時において０．３［Ｎ・ｍ］以上の回転トルクがかけやすくなるためである。【００６０】
以上の実験の結果より、照明装置１は、最大外径ｒが２２≦ｒ≦２８、開口径ＲがＲ≦１３０であって、かつ関係式１を満たした場合に、外管１３に対して、ランプ交換に必要な一定のトルクを与えることができることが分かった。したがって、照明器具３とランプ６（外管１３）との間の隙間の余裕によって指に力を入れることができ、ランプ６に一定のトルクをかけて回転させることができ、ランプ６を取り外したり、取り付けたりすることが容易になる。よって、小型化を実現しながらも、ランプ交換が容易なメンテナンスに優れた照明装置１を実現することができる。【００６１】
特に、一層容易に取り外し、取り付けを可能とするために、２５≦ｒなる関係式を満たすことが好ましい。【００６２】
また、上記したとおり口金にスワン式を採用した場合、ランプの取り外し時に一定の大きな回転トルク（０．３［Ｎ・ｍ］以上）を必要とすることがあるが、この場合であってもランプ交換の容易性を確保することができる。【００６３】
上記構成の照明装置１では、比率（Ｒ／ｒ）の設定に加え、距離Ｌを、０≦Ｌ≦１５の範囲内で適宜調整することにより、さらにランプ交換をし易くすることができる。【００６４】
また、上記構成の照明装置１において、距離Ｌが、０≦Ｌ≦１５の範囲外であっても、上記比率（Ｒ／ｒ）の設定に加え、閉塞部１７の先端を、基準面Ｐからミラー部１１の外側、かつ最大外径ｒの半分以内の位置（−ｒ／２≦Ｌ＜０）にすることによりランプ交換をし易くすることができる。この場合には、ミラー部１１の奥行きを短くすることができるので、照明器具３をさらに小型化することができる。なお、外管１３の閉塞部１７が半球面状でない場合には、閉塞部１７における中心軸Ｘ方向の長さ範囲内とする。
［第２の実施形態］
次に、図７に示すように、本発明の第２の実施形態である照明装置２８は、例えばスポットライトに使用されるものであり、天井や壁（いずれも図示せず）に取り付けられる照明器具２９を有する本体ユニット３０と、この本体ユニット３０内に取り付けられた上記した本発明の第１の実施形態の照明装置１に用いられている例えば定格電力１００［Ｗ］のメタルハライドランプ６と、このランプ６を点灯させる電子安定器（図示せず）を有する給電ユニット（図示せず）とを備えている。【００６５】
なお、ランプ６の構成については上記した本発明の第１の実施形態の照明装置１に用いられているものと同じ構成を有しているので、ここでは省略する。また、ランプの仕様等に応じて電子安定器に代えて銅鉄安定器を用いる場合がある。【００６６】
照明器具２９は、凹状の反射面３１を有し、内部に配置されたランプ６から発せられた光を反射面３１によって反射させて前方の開口部３２（光取り出し口）から射出するミラー部３３と、このミラー部３３内に設けられたソケット部３４とを有している。この照明器具２９も前方の開口部１０に前面ガラスのない開放型であることが特徴である。反射面３１には、金属膜等が蒸着されている。【００６７】
ただし、図７において、３５はミラー部３３と天井や壁に取り付けるためのアーム部を、３６はソケット部３４と電子安定器とをつなぐ給電線をそれぞれ示す。【００６８】
なお、照明器具２９の形状等については、その用途や使用条件等によって適宜設定されるものである。【００６９】
ここで、ランプ６が照明器具２９内に取り付けられた状態において、外管１３の最大外径をｒ［ｍｍ］、照明器具２９のミラー部３３の開口径をＲ［ｍｍ］とした場合、２２≦ｒ≦２８、Ｒ≦１３０、および３．５≦Ｒ／ｒなる関係式をそれぞれ満たす。【００７０】
つまり、上述したように２２≦ｒ≦２８、かつＲ≦１３０なる関係式を満たす場合、照明装置２８自体がかなり小型化されており、照明器具２９とランプ６との間の隙間に手の指を入れると、さほど隙間が残らない状態になる。したがって、このままの状態で一定のトルクをかけてランプ６を回そうとしても、指に力が入りにくい。【００７１】
そこで、３．５≦Ｒ／ｒなる関係式を満たすことにより、照明器具２９とランプ６との間の隙間に手の指を入れても、その隙間にある程度の余裕が残る。したがって、この隙間の余裕によって指に力を入れることができ、ランプ６に一定のトルクをかけて回転させることができ、ランプ６を取り外したり、取り付けたりすることが容易になる。よって、小型化を実現しながらも、ランプ交換が容易なメンテナンスに優れた照明装置２８を実現することができる。【００７２】
特に、一層容易に取り外し、取り付けを可能とするために、２５≦ｒなる関係式を満たすことが好ましい。  また、照明器具に対するランプの取り付け／取り外し具合を容易にするという観点からは、基準面Ｐに対するランプ先端部の位置を適宜調節することが好ましい。具体的には、図７に示すように、基準面Ｐからランプ先端部までの距離Ｌを１５ｍｍ以内とすればよい。【００７３】
なお、図７では、ランプ先端部が基準面Ｐより器具の内側に位置している形態を示しているが、本発明においては、ランプ先端部が基準面Ｐよりも器具の外側に位置している場合も含まれる。【００７４】
以上、本発明に係る照明装置について、実施形態に基づいて説明したが、本発明はこれらの実施形態に限られない。
＜変形例＞
（１）例えば、上記各実施形態では、定格電力１００［Ｗ］のメタルハライドランプ６を例示して説明したが、本発明は定格電力が１００［Ｗ］に限らず例えば３５［Ｗ］以上１３０［Ｗ］以下の範囲内のメタルハライドランプに適用した場合であっても上記と同様の作用効果を得ることができる。【００７５】
（２）また、上記各実施形態では、その照明装置の用途としてダウンライトやスポットライトを一例に挙げたが、その他の屋内照明や街路灯照明等にも用いることができ、その用途は限定されるものでない。【００７６】
（３）上記各実施形態では、Ｅ形の口金を備えたメタルハライドランプの構成を示したが、メタルハライドランプがスワン式の口金を備えた構成であってもよい。例えば、図８（ａ）に示すような、スワン式の口金４０を備えたメタルハライドランプ１０６を照明装置１に使用することができる。【００７７】
（４）また、ランプが備える口金に、図８（ａ）に示すような、外管１３内とランプ１０６の外部空間とを連通する通気孔４１を設けてもよい。このような通気孔４１を設けることで、例えば、外管と口金等の接着に用いられるセメントなどから放出された水分が外管１３内に溜まるのを防止することができる。これにより、外管の内面に水分が付着して、ランプの外観品質が低下するのを防止できる。【００７８】
（５）上記各実施形態に係るメタルハライドランプに、外管および内管の各中心軸がずれるのを防止するための規制部材を設けてもよい。具体的には、図８（ａ）に示すように、外管１３と内管１４との間に規制部材５０を設けることができる。図８（ｂ）は、この規制部材５０の斜視図である。規制部材５０は、環状部５１と、環状部５１に取り付けられたＵ字状部５２とを有している。なお、規制部材の形状は、図８（ｂ）の規制部材５０の形状に限定されるものではない。例えば、環状部５１に代えて、Ｃ字状に湾曲させた部材を用いることもできる。また、Ｕ字状部５２に代えて、Ｊ字状またはＬ字状からなる部材を用いることができる。規制部材の形状は、メタルハライドランプの仕様または用途に合わせて適宜選択することができる。【００７９】
（６）ランプが備える外管の内表面に、フッ酸処理などの化学的処理によるフロスト加工を施してもよい。フロスト加工した外管によって、光を拡散させることができるので、発光管から出射された光のムラを少なくすることができる。
【産業上の利用可能性】
【００８０】
本発明は、小型化を実現しながらも、ランプ交換が容易なことが必要な用途にも応用することができる。
【符号の説明】
【００８１】
１，２８  照明装置
２  天井
３，２９  照明器具
４  ベース部
５，３０  本体ユニット
６  メタルハライドランプ
７  電子安定器
８  給電ユニット
９，３１  反射面
１０，３２  開口部
１１，３３  ミラー部
１２，３４  ソケット部
１３  外管
１４  内管
１５  発光管
１６  口金
１７  閉塞部
１８  開口部
１９  チップオフ部
２０  封止部
２１  本管部
２２  細管部
２３  給電体
２４  電力供給線
２５  金属箔
２６  シェル部
２７  アイレット部
３５  アーム部
３６  給電線
【図１】
2009130914.tif 000003
【図２】
2009130914.tif 000004
【図３】
2009130914.tif 000005
【図４】
2009130914.tif 000006
【図５】
2009130914.tif 000007
【図６】
2009130914.tif 000008
【図７】
2009130914.tif 000009
【図８】
2009130914.tif 000010
【手続補正書】
【提出日】平成22年6月18日(2010.6.18)
【手続補正１】
【補正対象書類名】明細書
【補正対象項目名】全文
【補正方法】変更
【補正の内容】
【発明の詳細な説明】
【技術分野】
【０００１】
本発明は照明装置に関するものである。
【背景技術】
【０００２】
近時、商業施設等のダウンライトやスポットライトとして使用される照明装置の光源としてメタルハライドランプ等の高圧放電ランプが普及しつつある。そして、特に店舗空間においては、「光」のみを必要とし、照明装置自体を目立たせないようするニーズ、すなわち小型化の強い要請がある。
【０００３】
また、ランプ交換のしやすさといったメンテナンスの容易性も要求されている。従来の照明装置において発光管と外管とからなる二重管構造を採用した小型のメタルハライドランプを用いたものでは、万一、発光管が破損してそれを覆う外管も破損した際、それらの破片が飛散するのを防止するために、光を射出する前面の開口部（光取り出し口）に前面ガラスが取り付けられている。しかし、その場合、ランプ交換の際には前面ガラスの脱着の手間がかかるという問題があった。一方、発光管と外管との間に防爆用スリーブが設けられたものも知られている。この場合は、前面ガラスが不要となるものの、その分、ランプ自体が二重管構造を採用したメタルハライドランプに比して大型化し、上記した小型化の強い要請に応えられないという問題があった。
【０００４】
また、発光管、内管、および外管の三重管構造を採用した小型のメタルハライドランプが提案されている（例えば特許文献１，２等）。このメタルハライドランプを照明装置に用いた場合、三重管構造であるために前面ガラスが不要となり、メンテナンス性が優れている。しかもランプ自体が小型であるため、照明装置も小型化することができるというメリットがある。
【０００５】
このような三重管構造のメタルハライドランプとしては、外径が２０［ｍｍ］程度の外管を備えた、定格ランプ電力が３５［Ｗ］や７０［Ｗ］のメタルハライドランプが製品化されている。
【先行技術文献】
【特許文献】
【０００６】
【特許文献１】国際公開第２００６／００１１６６号パンフレット
【特許文献２】特開２００７−１７９９５９号公報
【発明の概要】
【発明が解決しようとする課題】
【０００７】
従来の三重管構造のメタルハライドランプを用いた小型の照明装置では、開口部から手を挿入させてランプを掴むことができ、ランプ交換が問題なく行えている。ところが、ランプの高ワット化を進めるに当たり、外管の外径が大きなランプ（具体的には外管径２０［ｍｍ］を２２〜２８［ｍｍ］にしたランプ）を作製し、従来の照明装置で試したところ、ランプ交換がしにくくなるという問題が生じた。
【０００８】
これは、照明装置の開口部とランプとの間の隙間が狭まり、その隙間に手が入りにくくなって、ランプを取り外したり、取り付けたりする際にランプを回転させにくくなるためである。
【０００９】
このような問題を解決するための1つの方法として、照明装置の開口径を大きくすることが考えられるが、照明装置の小型化を維持するためには、照明装置のミラー部の開口径を可能な限り小さくするとともに、その奥行きも可能な限り小さくすることが好ましい。
【００１０】
本発明は、このような問題を解決するためになされたものであり、小型化を実現しながらも、ランプ交換が容易な照明装置を提供することを目的とする。
【課題を解決するための手段】
【００１１】
本発明の請求項１記載の照明装置は、外管とこの外管内に設けられた発光管とを有する高圧放電ランプと、凹状の反射面を有し、かつ内部に前記高圧放電ランプが配置され、前記高圧放電ランプから発せられた光を前記反射面によって反射させて前方の開口部から射出するミラー部を含む開放型の照明器具とを備え、前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする。
【００１２】
ここで、「開放型」の照明器具とは、光が射出される開口部（光取り出し口）に前面ガラス等が無く、閉塞されていない照明器具を示す。
また、ミラー部の「開口径」とは、ミラー部の開口部側の端面の最大外径を示すのではなく、まさに開口した部分である開口部の内径を示す。
【発明の効果】
【００１３】
上記構成の照明装置は、ミラー部の開口径Ｒと外管の最大外径ｒとの比率（Ｒ／ｒ）を、３．５以上とすることにより、ミラー部と外管との隙間に指が挿入し難くなるのを防止し、ランプ交換がし難くなるのを防止することができる。なお、具体的な根拠については後述する。
【００１４】
本発明は、小型化を実現しながらも、ランプ交換が容易な照明装置を得ることができる。
【図面の簡単な説明】
【００１５】
【図１】本発明の第１の実施形態である照明装置を模式的に示した一部切欠正面図
【図２】同じく照明装置に用いられているメタルハライドランプの一部切欠正面図
【図３】ランプの掴む位置を説明するための模式図
【図４】照明器具と、ランプと、照明器具の内側に挿入させた手（指）との関係を説明するための模式図
【図５】関係式１を求めた実験の結果を示す図
【図６】外管の外径と照明器具の開口径との関係を説明するための図
【図７】本発明の第２の実施形態である照明装置を模式的に示した一部切欠正面図
【図８】変形例に係るメタルハライドランプの一部切欠正面図
【発明を実施するための形態】
【００１６】
以下、本発明の最良な実施の形態を、図面を参照して説明する。
［第１の実施形態］
＜照明装置の構成＞
図１に示すように、本発明の第１の実施形態である照明装置１は、例えばダウンライトに使用されるものであり、天井２に組み込まれた照明器具３とこの照明器具３の底部に取り付けられた板状のベース部４とを有する本体ユニット５と、この本体ユニット５内に取り付けられた例えば定格電力１００［Ｗ］のメタルハライドランプ６（以下、単に「ランプ６」という」と、ランプ６を点灯させるために、ベース部４において照明器具３から離間した位置に取り付けられた公知の電子安定器７を有する給電ユニット８とを備えている。
【００１７】
なお、ランプの仕様等に応じて電子安定器７に代えて銅鉄安定器を用いる場合がある。
（照明器具）
照明器具３は、凹状の反射面９を有し、内部に配置されたランプ６から発せられた光を反射面９によって反射させて前方の開口部１０（光取り出し口）から射出するミラー部１１と、このミラー部１１内に設けられたソケット部１２とを有している。この照明器具３は、特に前方の開口部１０に前面ガラスのない開放型であることが特徴である。反射面９には、金属膜等が蒸着されている。
【００１８】
ここで、ミラー部１１の開口径をＲ［ｍｍ］とした場合、小型のものに限定して、Ｒ≦１３０なる関係式を満たす。ここで言う「開口径」とは、ミラー部１１の開口部１０側の端面の最大外径を示すのではなく、まさに開口した部分である開口部１０の最大内径を示す。
【００１９】
なお、照明器具３の形状等については、その用途や使用条件等によって適宜設定されるものである。
（ランプ）
ランプ６は、図２に示すように、外管１３と、この外管１３内に収納されている内管１４と、この内管１４の内部の気密空間に配置されている発光管１５と、外管１３の端部に取り付けられている例えばＥ形の口金１６とを備えている。
【００２０】
なお、口金１６としては、図２に示すＥ形に限らず、公知の種々の形状、例えばピン状のスワン式や、Ｇ形等のものも用いることができる。特に口金がスワン式の場合、Ｅ形の口金と異なり、ランプが不測の脱落をしないようにランプをソケット部１２に対して一定以上の回転トルクをかけないと外れないようにすることが好ましい。具体的にはその回転トルクは０．３［Ｎ・ｍ］以上であることが好ましい。
【００２１】
外管１３の長手方向の中心軸Ｘと、内管１４の長手方向の中心軸Ｙと、発光管１５の長手方向の中心軸Ｚとは略同一軸上に位置している。ただし、この「略同一軸上」とは、中心軸Ｘ、中心軸Ｙおよび中心軸Ｚが完全に同一軸上に位置している場合以外に、例えば各部材１３，１４，１５を相互に組み立てる際に発生するばらつき等によって中心軸Ｘ、中心軸Ｙおよび中心軸Ｚがそれぞれずれてしまう場合等も含むことを意味している。
【００２２】
外管１３は、例えば硬質ガラス等からなり、一端部に例えば略半球状のように外面形状が曲面形状を有する閉塞部１７が形成され、かつ他端部に開口部１８を有しているとともに、一端部を除く部分が略円筒状である。この外管１３の内部（内管１４の内部および発光管１５の内部を除く）は大気雰囲気である。この閉塞部１７の曲面形状は、連続的であってもよいし、不連続的であってもよい。
【００２３】
ここで、外管１３の最大外径、具体的に図２に示す外管１３の場合ではその略円筒状の部分の外径をｒ［ｍｍ］とした場合、小型のものに限定して、２２≦ｒ≦２８なる関係式を満たす。
【００２４】
なお、外管としては、その外形形状が上記したような一端部を除く部分が略円筒状の直管状に限らず、中央部のみが膨出した形状の外管や、中央部が最も膨出し、かつ端部に近づくに従って連続的に径小となる形状の外管等、公知の種々の形状のものであってもよい。このように外管が種々の形状をとった場合でも、「ｒ」はその形状における最大外径を示す。
【００２５】
内管１４は、例えば石英ガラス等からなり、一端部が略平面状になっており、その中央部に排気管の残部であるチップオフ部１９を有し、かつ他端部に公知のピンチシール法によって圧潰封止された封止部２０を有しているとともに、両端部を除く部分が略円筒状である。内管１４の内部は、例えば真空雰囲気の気密空間である。
【００２６】
なお、内管の外形形状としても、上記したような両端部を除く部分が略円筒状の直管状に限らず、中央部のみが膨出した形状や、中央部が最も膨出し、かつ端部に近づくに従って連続的に径小となる形状等、公知の種々の形状であってもよい。
【００２７】
発光管１５は、その外囲器が例えば多結晶アルミナの透光性セラミックからなり、本管部２１とこの本管部２１の両端部に形成された細管部２２とを有している。
図２に示す例では、本管部２１と細管部２２とがそれぞれ別個に成形された後、焼きばめによって一体化されたものを用いている。しかし、その形状や構造において図２に示すものに限らず、例えば本管部と細管部とを一体成形によって形成されたものを用いてもよく、公知の種々の形状や構造の発光管を用いることができる。
【００２８】
本管部２１内には、一対の電極（図示せず）が配置されており、かつ金属ハロゲン化物、希ガスおよび水銀がそれぞれ所定量封入されている。金属ハロゲン化物としては、ヨウ化ナトリウムやヨウ化ジスプロシウム等が用いられている。
【００２９】
細管部２２内には、先端部に電極が取り付けられた給電体２３が挿入され、本管部２１とは反対側の端部においてフリットからなるシール材（図示せず）によって封着されている。給電体２３の端部のうち、電極とは反対側の端部は、細管部２２の端部から外部に導出しており、電力供給線２４に電気的に接続されている。電力供給線２４は封止部２０に封止された金属箔２５を介して外部リード線（図示せず）に電気的に接続されている。そして、一方の外部リード線は口金１６のシェル部２６に、他方の外部リード線は口金１６のアイレット部２７にそれぞれ電気的に接続されている。
【００３０】
なお、電力供給線２３は一本の金属線からなるとは限らず、複数の金属線を接続して一体化したものからなる場合もある。
（照明器具とランプとの関係）
次に、照明器具３と、ランプ６との関係について説明する。
【００３１】
ランプ６が照明器具３内に取り付けられた状態（図１に示す状態）において、外管１３の最大外径をｒ［ｍｍ］、照明器具３のミラー部１１の開口径をＲ［ｍｍ］とした場合、最大外径ｒと開口径Ｒとの比率（Ｒ／ｒ）が次の関係式を満たす。
【００３２】
３．５≦Ｒ／ｒ                        ・・・（関係式１）
比率（Ｒ／ｒ）が小さいと、照明器具３とランプ６との間の隙間に手の指が入り難くなって、ランプ６をしっかりと掴むことができないために一定のトルクをかけてランプ６を回すことができなくなる。そのため、ランプ交換がしにくい照明装置となる。発明者らは、後述する実験により、関係式１を満たせば、照明器具３とランプ６との間の隙間に手の指を入れ易く、かつ一定のトルクをかけてランプを回すことができて、ランプ交換が容易になることを見出した。
【００３３】
また、関係式１に加え、図１に示すように、ミラー部１１の開口部１０の端面を含む平面を基準面Ｐ、基準面Ｐからランプ６の先端までの距離をＬ［ｍｍ］とした場合、距離Ｌが０≦Ｌ≦１５の範囲内であれば、よりランプの交換が容易になることが分かった。
【００３４】
なお、ランプ６の先端が基準面Ｐからミラー部１１の外側に位置し（Ｌ＜０）、かつ外管１３における閉塞部１７を除いた筒状部分全体が基準面Ｐよりミラー部１１の内側にある場合にも、ランプの交換が容易になることが分かった。
（ランプ交換について）
上記構成の照明装置１において、例えば寿命によって不点灯になったランプ６を取り替えるべく照明器具３から取り外す際には、当該照明器具３が開口部１０に前面ガラスのない開放型であるために、通常、人がそのまま開口部１０から照明器具３内に手を入れ、メタルハライドランプ６の外管１３の先端部側を摘まむようにして持ち、回転させて取り外す。また、新品のランプ６を取り付けるときも、外管１３の先端部側を摘まむようにして持った状態で、当該ランプ６を照明器具３内に入れ、口金１６をソケット部１２にねじ込みながら取り付ける。
【００３５】
ところが、開口部１０の内側に挿入させた指で、ランプ６（外管１３）をしっかりと掴む（摘む）ことができないと、ランプを回転させるのが難しくなるため、ランプの交換がし難くなる。
【００３６】
図３は、ランプ（外管）を掴む位置を説明するための模式図である。図３（ａ）に示すように、外管１３における円筒状の部分Ｓの位置では、親指と他の指で強く挟みこむことができるので、しっかりと掴むことができる。
【００３７】
一方、図３（ｂ）に示すように、半球面状の閉塞部１７では、親指と他の指で強く挟めば挟む程、各指が閉塞部１７の曲面に沿って滑るために、しっかりと掴むことができない。したがって、一定のトルクをかけてランプを回すには、外管１３の円筒状部分Ｓを掴むことが必要である。
【００３８】
図４は、照明器具３と、ランプ６（外管１３）と、照明器具３の内側に挿入させた手（指）との関係を説明するための模式図である。
図４には、照明器具３の内側に挿入させた手（指）で外管１３の円筒状部分Ｓを掴んだ状態が示されている。また、基準面Ｐを通過する手の最大幅がＷで示されている。
【００３９】
図４において、円筒状部分Ｓの先端は、基準面ＰからＬ＋ｒ／２の位置にある。例えば、距離Ｌを変えずに外管１３の最大外径ｒを大きくした場合、この円筒状部分Ｓの先端が、照明器具３の奥側（矢印Ａ方向）に移動する。そのため、円筒状部分Ｓを掴むためには、手（指）を照明器具３の奥側により挿入させることになって、基準面Ｐを通過する手の最大幅Ｗが大きくなる。
【００４０】
したがって、外管１３の最大外径ｒを大きくする程、照明器具３の開口径Ｒを大きくする必要がある。
＜関係式１を求めた実験＞
次に、関係式１を求めた実験について説明する。
【００４１】
本実験では、外管１３の最大外径ｒと、照明器具３の開口径Ｒとの比率（Ｒ／ｒ）が異なる複数の組み合わせを作成し、それぞれの外管１３を回したときの回転トルクの大きさを測定した。具体的には、最大外径ｒが２０［ｍｍ］、２２［ｍｍ］、２５［ｍｍ］、２８［ｍｍ］および３０［ｍｍ］の５種類の外管１３を作製し、最大外径ｒが２０［ｍｍ］および３０［ｍｍ］の各外管１３には４〜５の比較例を、最大外径ｒが２２［ｍｍ］、２５［ｍｍ］および２８［ｍｍ］の各外管１３には、３つの実施例および１つの比較例を用意した。なお、各実施例および比較例では、基準面Ｐ（図１参照）から外管１３の先端までの距離Ｌを１５［ｍｍ］に設定している。
【００４２】
図５は、関係式１を求めた実験の結果を示す図である。
図５には、実施例および比較例における、最大外径ｒ、開口径Ｒ、比率（Ｒ／ｒ）、回転トルク［Ｎ・ｍ］および判定結果が示されている。
【００４３】
本実験において、回転トルクが０．３［Ｎ・ｍ］以上の場合は、良好「○」と判定し、回転トルクが０．３［Ｎ・ｍ］未満の場合は、不良「×」と判定した。
回転トルク０．３［Ｎ・ｍ］を境にして、ランプ交換が容易または困難と判定したのは次の理由による。ランプの口金がＥ形の場合、ソケットに着脱するには、回転トルクが０．１〜０．２［Ｎ・ｍ］程度でよく、また、スワン式の場合でも、回転トルクが０．３［Ｎ・ｍ］もあれば十分なため、回転トルクが０．３［Ｎ・ｍ］以上であれば、確実にランプをソケットに着脱できるからである。
【００４４】
実験結果を見ると、図５に示すように、例えば、比較例１〜５は、最大外径ｒ＝２０［ｍｍ］である。このうち比較例１は、Ｒ＝６８［ｍｍ］、Ｒ／ｒ＝３．４、回転トルク＝０．３０［Ｎ・ｍ］であり、判定が「○」である。比較例２〜５も、比較例１と同様、判定「○」である。
【００４５】
また、最大外径ｒ＝２２，２５，２８，３０［ｍｍ］についても同様に、比較例ならびに実施例の判定結果が示されている。
図５に示すように、最大外径ｒが２０［ｍｍ］および３０［ｍｍ］では、最大外径ｒと開口径Ｒとの比率（Ｒ／ｒ）に関わらず、判定が「○」である。一方、最大外径ｒが２２〜２８［ｍｍ］では、比率（Ｒ／ｒ）が３．５以上の場合に判定「○」であって、比率（Ｒ／ｒ）が３．５未満では判定「×」である。したがって、最大外径ｒが２２〜２８［ｍｍ］の外管１３を用いた照明器具３において、０．３［Ｎ・ｍ］以上の回転トルクをかけるためには比率（Ｒ／ｒ）の大きさに下限があることが分かった。
【００４６】
この下限について、次に説明する。
図６は、縦軸を開口径Ｒ、横軸を最大外径ｒとし、図５に示す最大外径ｒが２２〜２８［ｍｍ］における実施例および比較例をプロットした図であり、判定「○」の各実施例が○印で、判定「×」の各比較例が×印で示されている。
【００４７】
また、図６において、最大外径ｒ毎の判定「○」と、判定「×」との間を通過する線７０（Ｒ／ｒ＝３．５）が引かれている。
この線７０が、最大外径ｒに対する開口径Ｒの下限を示している。したがって、０．３［Ｎ・ｍ］以上の回転トルクをかけるためには、最大外径ｒと開口径Ｒとの比率（Ｒ／ｒ）が３．５以上必要であるといえる。
【００４８】
なお、図６には、判定「○」の各実施例を含む領域が７１で示されている。
最大外径ｒが２０［ｍｍ］および３０［ｍｍ］の外管１３において、比率（Ｒ／ｒ）が３．５未満であっても、０．３［Ｎ・ｍ］以上の回転トルクを与えることができるのは、次の理由によるものと考えられる。
【００４９】
最大外径ｒが２０［ｍｍ］の外管では、その先端の半球状をしている閉塞部が小さいため、指で外管の筒状部分を掴みやすいことから、ランプ交換時において０．３［Ｎ・ｍ］以上の回転トルクがかけやすくなるためである。
【００５０】
一方、最大外径ｒが３０［ｍｍ］の外管では、外管と器具開口部との隙間が大きくなるので、手を照明装置の内側に挿入し易く、外嵌の筒状部分を掴みやすいことから、ランプ交換時において０．３［Ｎ・ｍ］以上の回転トルクがかけやすくなるためである。
【００５１】
以上の実験の結果より、照明装置１は、最大外径ｒが２２≦ｒ≦２８、開口径ＲがＲ≦１３０であって、かつ関係式１を満たした場合に、外管１３に対して、ランプ交換に必要な一定のトルクを与えることができることが分かった。したがって、照明器具３とランプ６（外管１３）との間の隙間の余裕によって指に力を入れることができ、ランプ６に一定のトルクをかけて回転させることができ、ランプ６を取り外したり、取り付けたりすることが容易になる。よって、小型化を実現しながらも、ランプ交換が容易なメンテナンスに優れた照明装置１を実現することができる。
【００５２】
特に、一層容易に取り外し、取り付けを可能とするために、２５≦ｒなる関係式を満たすことが好ましい。
また、上記したとおり口金にスワン式を採用した場合、ランプの取り外し時に一定の大きな回転トルク（０．３［Ｎ・ｍ］以上）を必要とすることがあるが、この場合であってもランプ交換の容易性を確保することができる。
【００５３】
上記構成の照明装置１では、比率（Ｒ／ｒ）の設定に加え、距離Ｌを、０≦Ｌ≦１５の範囲内で適宜調整することにより、さらにランプ交換をし易くすることができる。
また、上記構成の照明装置１において、距離Ｌが、０≦Ｌ≦１５の範囲外であっても、上記比率（Ｒ／ｒ）の設定に加え、閉塞部１７の先端を、基準面Ｐからミラー部１１の外側、かつ最大外径ｒの半分以内の位置（−ｒ／２≦Ｌ＜０）にすることによりランプ交換をし易くすることができる。この場合には、ミラー部１１の奥行きを短くすることができるので、照明器具３をさらに小型化することができる。なお、外管１３の閉塞部１７が半球面状でない場合には、閉塞部１７における中心軸Ｘ方向の長さ範囲内とする。
［第２の実施形態］
次に、図７に示すように、本発明の第２の実施形態である照明装置２８は、例えばスポットライトに使用されるものであり、天井や壁（いずれも図示せず）に取り付けられる照明器具２９を有する本体ユニット３０と、この本体ユニット３０内に取り付けられた上記した本発明の第１の実施形態の照明装置１に用いられている例えば定格電力１００［Ｗ］のメタルハライドランプ６と、このランプ６を点灯させる電子安定器（図示せず）を有する給電ユニット（図示せず）とを備えている。
【００５４】
なお、ランプ６の構成については上記した本発明の第１の実施形態の照明装置１に用いられているものと同じ構成を有しているので、ここでは省略する。また、ランプの仕様等に応じて電子安定器に代えて銅鉄安定器を用いる場合がある。
【００５５】
照明器具２９は、凹状の反射面３１を有し、内部に配置されたランプ６から発せられた光を反射面３１によって反射させて前方の開口部３２（光取り出し口）から射出するミラー部３３と、このミラー部３３内に設けられたソケット部３４とを有している。この照明器具２９も前方の開口部１０に前面ガラスのない開放型であることが特徴である。反射面３１には、金属膜等が蒸着されている。
【００５６】
ただし、図７において、３５はミラー部３３と天井や壁に取り付けるためのアーム部を、３６はソケット部３４と電子安定器とをつなぐ給電線をそれぞれ示す。
なお、照明器具２９の形状等については、その用途や使用条件等によって適宜設定されるものである。
【００５７】
ここで、ランプ６が照明器具２９内に取り付けられた状態において、外管１３の最大外径をｒ［ｍｍ］、照明器具２９のミラー部３３の開口径をＲ［ｍｍ］とした場合、２２≦ｒ≦２８、Ｒ≦１３０、および３．５≦Ｒ／ｒなる関係式をそれぞれ満たす。
【００５８】
つまり、上述したように２２≦ｒ≦２８、かつＲ≦１３０なる関係式を満たす場合、照明装置２８自体がかなり小型化されており、照明器具２９とランプ６との間の隙間に手の指を入れると、さほど隙間が残らない状態になる。したがって、このままの状態で一定のトルクをかけてランプ６を回そうとしても、指に力が入りにくい。
【００５９】
そこで、３．５≦Ｒ／ｒなる関係式を満たすことにより、照明器具２９とランプ６との間の隙間に手の指を入れても、その隙間にある程度の余裕が残る。したがって、この隙間の余裕によって指に力を入れることができ、ランプ６に一定のトルクをかけて回転させることができ、ランプ６を取り外したり、取り付けたりすることが容易になる。よって、小型化を実現しながらも、ランプ交換が容易なメンテナンスに優れた照明装置２８を実現することができる。
【００６０】
特に、一層容易に取り外し、取り付けを可能とするために、２５≦ｒなる関係式を満たすことが好ましい。  また、照明器具に対するランプの取り付け／取り外し具合を容易にするという観点からは、基準面Ｐに対するランプ先端部の位置を適宜調節することが好ましい。具体的には、図７に示すように、基準面Ｐからランプ先端部までの距離Ｌを１５ｍｍ以内とすればよい。
【００６１】
なお、図７では、ランプ先端部が基準面Ｐより器具の内側に位置している形態を示しているが、本発明においては、ランプ先端部が基準面Ｐよりも器具の外側に位置している場合も含まれる。
【００６２】
以上、本発明に係る照明装置について、実施形態に基づいて説明したが、本発明はこれらの実施形態に限られない。
＜変形例＞
（１）例えば、上記各実施形態では、定格電力１００［Ｗ］のメタルハライドランプ６を例示して説明したが、本発明は定格電力が１００［Ｗ］に限らず例えば３５［Ｗ］以上１３０［Ｗ］以下の範囲内のメタルハライドランプに適用した場合であっても上記と同様の作用効果を得ることができる。
【００６３】
（２）また、上記各実施形態では、その照明装置の用途としてダウンライトやスポットライトを一例に挙げたが、その他の屋内照明や街路灯照明等にも用いることができ、その用途は限定されるものでない。
【００６４】
（３）上記各実施形態では、Ｅ形の口金を備えたメタルハライドランプの構成を示したが、メタルハライドランプがスワン式の口金を備えた構成であってもよい。例えば、図８（ａ）に示すような、スワン式の口金４０を備えたメタルハライドランプ１０６を照明装置１に使用することができる。
【００６５】
（４）また、ランプが備える口金に、図８（ａ）に示すような、外管１３内とランプ１０６の外部空間とを連通する通気孔４１を設けてもよい。このような通気孔４１を設けることで、例えば、外管と口金等の接着に用いられるセメントなどから放出された水分が外管１３内に溜まるのを防止することができる。これにより、外管の内面に水分が付着して、ランプの外観品質が低下するのを防止できる。
【００６６】
（５）上記各実施形態に係るメタルハライドランプに、外管および内管の各中心軸がずれるのを防止するための規制部材を設けてもよい。具体的には、図８（ａ）に示すように、外管１３と内管１４との間に規制部材５０を設けることができる。図８（ｂ）は、この規制部材５０の斜視図である。規制部材５０は、環状部５１と、環状部５１に取り付けられたＵ字状部５２とを有している。なお、規制部材の形状は、図８（ｂ）の規制部材５０の形状に限定されるものではない。例えば、環状部５１に代えて、Ｃ字状に湾曲させた部材を用いることもできる。また、Ｕ字状部５２に代えて、Ｊ字状またはＬ字状からなる部材を用いることができる。規制部材の形状は、メタルハライドランプの仕様または用途に合わせて適宜選択することができる。
【００６７】
（６）ランプが備える外管の内表面に、フッ酸処理などの化学的処理によるフロスト加工を施してもよい。フロスト加工した外管によって、光を拡散させることができるので、発光管から出射された光のムラを少なくすることができる。
【産業上の利用可能性】
【００６８】
本発明は、小型化を実現しながらも、ランプ交換が容易なことが必要な用途にも応用することができる。
【符号の説明】
【００６９】
１，２８  照明装置
２  天井
３，２９  照明器具
４  ベース部
５，３０  本体ユニット
６  メタルハライドランプ
７  電子安定器
８  給電ユニット
９，３１  反射面
１０，３２  開口部
１１，３３  ミラー部
１２，３４  ソケット部
１３  外管
１４  内管
１５  発光管
１６  口金
１７  閉塞部
１８  開口部
１９  チップオフ部
２０  封止部
２１  本管部
２２  細管部
２３  給電体
２４  電力供給線
２５  金属箔
２６  シェル部
２７  アイレット部
３５  アーム部
３６  給電線
【手続補正２】
【補正対象書類名】特許請求の範囲
【補正対象項目名】全文
【補正方法】変更
【補正の内容】
【特許請求の範囲】
【請求項１】
外管とこの外管内に設けられた発光管とを有する高圧放電ランプと、
凹状の反射面を有し、かつ内部に前記高圧放電ランプが配置され、前記高圧放電ランプから発せられた光を前記反射面によって反射させて前方の開口部から射出するミラー部を含む開放型の照明器具とを備え、
前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする照明装置。
【請求項２】
前記外管は、筒状部と、この筒状部の一端に連設されて、当該筒状部の一端を封塞する曲面部とを有している
ことを特徴とする請求項１に記載の照明装置。
【請求項３】
前記曲面部が、半球面状である
ことを特徴とする請求項２に記載の照明装置。
【請求項４】
前記ミラー部の開口部端面を含む平面を基準面とし、前記基準面から前記外管の先端までの距離をＬ［ｍｍ］とした場合、
０≦Ｌ≦１５である
ことを特徴とする請求項１に記載の照明装置。
【手続補正３】
【補正対象書類名】図面
【補正対象項目名】全図
【補正方法】変更
【補正の内容】
【図１】
2009130914.tif 000011
【図２】
2009130914.tif 000012
【図３】
2009130914.tif 000013
【図４】
2009130914.tif 000014
【図５】
2009130914.tif 000015
【図６】
2009130914.tif 000016
【図７】
2009130914.tif 000017
【図８】
2009130914.tif 000018
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
外管と、該外管内に設けられた内管と、該内管内に設けられた発光管とを有するメタルハライドランプと、
凹状の反射面を有し、かつ内部に前記高圧放電ランプが配置され、前記メタルハライドランプから発せられた光を前記反射面によって反射させて前方の開口部から射出するミラー部を含む開放型の照明器具とを備え、
前記メタルハライドランプは、その長手方向の軸を回転軸として回転させて前記照明器具に取り付けられ、
前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする照明装置。
【請求項２】
前記外管は、筒状部と、この筒状部の一端に連設されて、当該筒状部の一端を封塞する曲面部とを有している
ことを特徴とする請求項１に記載の照明装置。
【請求項３】
前記曲面部が、半球面状である
ことを特徴とする請求項２に記載の照明装置。
【請求項４】
前記ミラー部の開口部端面を含む平面を基準面とし、前記基準面から前記外管の先端までの距離をＬ［ｍｍ］とした場合、
０≦Ｌ≦１５である
ことを特徴とする請求項１〜３のいずれか１項に記載の照明装置。
【手続補正２】
【補正対象書類名】明細書
【補正対象項目名】００１１
【補正方法】変更
【補正の内容】
【００１１】
本発明の請求項１記載の照明装置は、外管と、該外管内に設けられた内管と、該内管内に設けられた発光管とを有するメタルハライドランプと、凹状の反射面を有し、かつ内部に前記高圧放電ランプが配置され、前記メタルハライドランプから発せられた光を前記反射面によって反射させて前方の開口部から射出するミラー部を含む開放型の照明器具とを備え、前記メタルハライドランプは、その長手方向の軸を回転軸として回転させて前記照明器具に取り付けられ、前記外管の最大外径をｒ［ｍｍ］、前記ミラー部の開口径をＲ［ｍｍ］とした場合、２２≦ｒ≦２８、Ｒ≦１３０、および３．５≦Ｒ／ｒなる関係式をそれぞれ満たすことを特徴とする。
【国際調査報告】
2009130914.tif 000019
2009130914.tif 000020